(57)【要約】【課題】カウンターの撓み変形を防いで該カウンターに高い剛性を確保することができるとともに、必要なときには家電機器を引き出すことができるカウンターの撓み防止機構を提供すること。【解決手段】垂直に起立する支持板によって水平に支持されたカウンター１の下面と、該カウンター１と前記支持板とで形成される空間内に収納された冷蔵庫（家電機器）３の上面との間に形成される隙間δ１（δ２）に設置されるカウンター１の撓み防止機構１０を、前記カウンター１の下面に固定された固定具１１と、回転可能なシャフト１４と、該シャフト１４に互いに逆方向に進退可能に螺合するとともに、前記固定具１１に摺動可能にテーパー嵌合する一対のスライダー１３とで構成する。【選択図】図８
2007260212.tif 000002
【特許請求の範囲】
【請求項１】
垂直に起立する支持板によって水平に支持されたカウンターの下面と、該カウンターと前記支持板とで形成される空間内に収納された家電機器の上面との間に形成される隙間に設置される機構であって、
前記カウンターの下面に固定された固定具と、
回転可能なシャフトと、
該シャフトに互いに逆方向に進退可能に螺合するとともに、前記固定具に摺動可能にテーパー嵌合する一対のスライダーと、
で構成されることを特徴とするカウンターの撓み防止機構。
【請求項２】
前記固定具とシャフト及びスライダーは、カウンターの奥行き方向に沿って設置されることを特徴とする請求項１記載のカウンターの撓み防止機構。
【請求項３】
前記固定具とシャフト及びスライダーは、少なくとも前記カウンターの長さ方向中央部に設置されることを特徴とする請求項１又は２記載のカウンターの撓み防止機構。
【発明の詳細な説明】
【技術分野】
【０００１】
本発明は、カウンターとこれを支持する支持板によって形成される空間に冷蔵庫等の家電機器を収納する構成を採用した場合のカウンターの撓み変形を防ぐための機構に関するものである。
【背景技術】
【０００２】
例えば、現在市販されている一般家庭用冷蔵庫は縦方向に長いため、その上方の空間はデッドスペースとなって殆ど利用されていないのが実情である。
【０００３】
そこで、横方向に長い高さの低い冷蔵庫をキッチンに設置し、その上方の空間を有効利用することが考えられる。例えば、冷蔵庫の上方にカウンターを水平に設置し、このカウンターを作業台として利用することが考えられるが、この場合、カウンターを冷蔵庫の上に直接載せると、メンテナンスのために冷蔵庫を手前に引き出すことができないという問題がある。
【０００４】
そこで、カウンターの長さ方向（横方向）両端を垂直に起立する支持板によって水平に支持し、該カウンターと両支持板とで形成される空間内に冷蔵庫を収納し、カウンターの下面と冷蔵庫の上面との間に所定の隙間（クリアランス）を設ける構成が考えられる。
【０００５】
尚、カウンターの支持構造については、今までに種々提案がなされている（例えば、特許文献１〜３参照）。
【特許文献１】特開平８−０００４１３号公報
【特許文献２】実公平８−００３３４１号公報
【特許文献３】特開平９−２１５５３５号公報
【発明の開示】
【発明が解決しようとする課題】
【０００６】
ところが、前述のようにメンテナンスのために冷蔵庫を手前に引き出すことができるように、カウンターの下面と冷蔵庫の上面との間に所定の隙間（クリアランス）を設けると、カウンターに下方向への撓みが生じ、これを作業台として使用するのに必要な剛性を確保することができないという問題が発生する。
【０００７】
本発明は上記問題に鑑みてなされたもので、その目的とする処は、カウンターの撓み変形を防いで該カウンターに高い剛性を確保することができるとともに、必要なときには家電機器を引き出すことができるカウンターの撓み防止機構を提供することにある。
【課題を解決するための手段】
【０００８】
上記目的を達成するため、請求項１記載の発明は、垂直に起立する支持板によって水平に支持されたカウンターの下面と、該カウンターと前記支持板とで形成される空間内に収納された家電機器の上面との間に形成される隙間に設置されるカウンターの撓み防止機構を、
前記カウンターの下面に固定された固定具と、
回転可能なシャフトと、
該シャフトに互いに逆方向に進退可能に螺合するとともに、前記固定具に摺動可能にテーパー嵌合する一対のスライダーと、
で構成することを特徴とする。
【０００９】
請求項２記載の発明は、請求項１記載の発明において、前記固定具とシャフト及びスライダーは、カウンターの奥行き方向に沿って設置されることを特徴とする。
【００１０】
請求項３記載の発明は、請求項１又は２記載の発明において、前記固定具とシャフト及びスライダーは、少なくとも前記カウンターの長さ方向中央部に設置されることを特徴とする。
【発明の効果】
【００１１】
請求項１記載の発明によれば、カウンターの下面と家電機器の上面との間の隙間に設置された撓み防止機構のシャフトを工具を用いて回転させれば、一対のスライダーがシャフトに沿って互いに逆方向に進退動するが、これらのスライダーは固定具に摺動可能にテーパー嵌合しているために隙間内を上下動して隙間を詰める。具体的には、一対のスライダーを隙間内で下動させて家電機器の上面に密着させる。従って、カウンターは、固定具とスライダーによって家電機器に支持されることとなり、その下方への撓み変形が防がれ、これに必要十分な剛性が確保され、該カウンターを作業台等として使用することができる。
【００１２】
又、家電機器のメンテナンス時には、シャフトを逆方向に回して一対のスライダーを隙間内で上動させ、該スライダーの家電機器上面への密着を解除すれば、家電機器を手前に容易に引き出すことができる。
【００１３】
請求項２記載の発明によれば、固定具とシャフト及びスライダーをカウンターの奥行き方向に沿って設置したため、シャフトを手前側から作業性良く容易に回転操作することができる。
【００１４】
請求項３記載の発明によれば、カウンターの撓み変形量が最も大きくなるカウンターの長さ方向（横方向）中央部に固定具とシャフト及びスライダーを設置するため、カウンターの下方への撓み変形を一層効果的に防いで該カウンターに高い剛性を確保することができる。
【発明を実施するための最良の形態】
【００１５】
以下に本発明の実施の形態を添付図面に基づいて説明する。
【００１６】
図１本発明に係る撓み防止機構が設置されたカウンターと冷蔵庫の斜視図、図２は冷蔵庫の引き出しを引き出した状態を示すカウンターと冷蔵庫の斜視図、図３は撓み防止機構の設置状況を示すためのカウンターと冷蔵庫の部分断面斜視図、図４は本発明に係る撓み防止機構を斜め上方から見た分解斜視図、図５は同撓み防止機構を斜め下方から見た斜視図、図６及び図７は同撓み防止機構のスライダーの高さ調整作業を示す部分破断斜視図、図８（Ａ），（Ｂ）は同撓み防止機構の設置状況を示す側断面図、図９（Ａ），（Ｂ）は同部分正断面図である。
【００１７】
図１〜図３において、１は一般家庭のキッチンに水平に設置された横方向に長い矩形板状のカウンターであって、その左右（横方向）の両端は、床面上に垂直に起立する矩形板状の支持板２によって支持されている。従って、カウンター１、左右の支持板２、カウンター１の奥側の不図示のキッチン壁面及び床面（不図示）によって、前面が開口する横長の矩形状空間が形成されるが、この空間には横長の冷蔵庫３が収納されている。
【００１８】
上記冷蔵庫３には、図２に示すように手前に引き出すことができる大小複数（図示例では４つ）の引き出し４，５，６，７が設けられている。そして、メンテナン時に冷蔵庫３を手前に引き出すことができるように、カウンター１の下面と冷蔵庫３の上面との間には所定の隙間（クリアランス）δ１（又はδ２）が設けられている（図８及び図９参照）。
【００１９】
而して、上述のように高さの低い横長の冷蔵庫３の上方にカウンター１を水平に設置すると、このカウンター１を作業台として使用することができ、従来はデッドスペースとして無駄な空間となっていたスペースを有効に利用することができるが、カウンター１は横方向に長く、その左右両側が支持板２によって支持されているのみであるため、そのままでは該カウンター１が下方へ撓んでしまい、その剛性が低くなってしまう。
【００２０】
そこで、本実施の形態では、図１〜図３に示すように、撓み防止機構１０をカウンター１と冷蔵庫３との間の隙間δ１（δ２）の横方向中間部（長さ方向中間部）に設置した。この撓み防止機構１０は、細長い機構であって、カウンター１と冷蔵庫２との間の隙間δ１（δ２）において、カウンター１の奥行き方向に沿って設置されている。
【００２１】
ここで、撓み防止機構１０の構成の詳細を図４及び図５に基づいて説明する。
【００２２】
図４及び図５において、１１はカウンター１の下面に固定される左右一対の固定具であって、各固定具１１は横断面Ｌ字状に成形され、平坦な水平部１１Ａと該水平部１１Ａから直角下方に折れ曲がる垂直部１１Ｂとで構成されている。そして、これら左右一対の固定具１１は、水平部１１Ａに穿設された複数の円孔１１ａに下方から挿通するビス１２によってカウンター１の下面に固定されるが、これらは垂直部１１Ｂが所定の間隔を保つよう互いに平行にカウンター１の奥行き方向に沿って固定される。
【００２３】
そして、上記各固定具１１の長さ方向両端部には、端部に向かって細くなるテーパー部（傾斜部）１１ｂが形成されており、各テーパー部１１ｂには水平に突出する係合凸部１１ｃが形成されている。
【００２４】
他方、１３は一対のブロック状のスライダーであって、これらのスライダー１３にはネジ孔１３ａがそれぞれ貫設されており、各ネジ孔１３ａにはシャフト１４が螺合挿通している。尚、シャフト１４の両端部には雄ネジ部１４ａが刻設されているが、これらの雄ネジ１４ａ同士と各雄ネジ１４ａに螺合するスライダー１３のネジ孔１３ａ同士は互いに逆ネジの関係にある。又、シャフト１４の端面には六角穴１４ｂが形成されている。
【００２５】
又、各スライダー１３の上面の一部は、前記各固定具１１の垂直部１１Ｂに形成されたテーパー部１１ｂと同じ傾きのテーパー面１３ｂを構成しており、このテーパー面１３ｂの両側部には溝状の係合凹部１３ｃが形成されている。そして、両スライダー１３は、その係合凹部１３ｃが両固定具１１の係合凸部１１ｃに係合することによって固定具１１に摺動可能に支持されるとともに、ネジ孔１３ａにシャフト１４の雄ネジ部１４ａが螺合挿通することによってシャフト１４に沿って互いに逆方向に進退可能に支持されている。
【００２６】
而して、以上の構成を有する撓み防止機構１０は、図１〜図３に示すように、カウンター１と冷蔵庫３との間の隙間δ１（δ２）（図８及び図９参照）の横方向中間部（長さ方向中間部）にカウンター１の奥行き方向に沿って設置されるが、以下、その作用を図６〜図９に基づいて説明する。
【００２７】
撓み防止機構１０はカウンター１の下面に固設されているが、該カウンター１の下方の空間に冷蔵庫３を収納する前に、撓み防止機構１０のスライダー１３は、冷蔵庫３と干渉しない高さ位置まで上方に移動している。
【００２８】
そして、冷蔵庫３を奥側に押し、これをカウンター１の下方の空間に収納すると、図８及び図９に示すように、カウンター１の下面と冷蔵庫３の上面には隙間δ１（δ２）が形成される。尚、図８（Ａ）及び図９（Ａ）は小さな隙間δ１が形成される場合、図８（Ｂ）及び図９（Ｂ）は大きな隙間δ２（＞δ１）が形成される場合をそれぞれ示す。
【００２９】
次に、図６及び図７に示すように、六角レンチ等の工具１５をシャフト１４の端面に形成された六角穴１４ｂに嵌め込んでこれを回すと、シャフト１４が同方向に回転し、該シャフト１４に螺合する一対のスライダー１３がシャフト１４に沿って互いに離れる方向に移動する。これらのスライダ１３は前述のように左右一対の固定具１１にテーパー嵌合しているため、これらが互いに離れる方向に移動すると、これらのスライダー１３はカウンター１と冷蔵庫３の間の隙間δ１（δ２）内で下動して図８及び図９に示すように冷蔵庫３の上面に密着して隙間を詰める。
【００３０】
従って、カウンター１は、冷蔵庫３との間の隙間の大小に関わらず、例えば図８（Ａ）及び図９（Ａ）に示す小さな隙間δ１や図８（Ｂ）及び図９（Ｂ）に示す大きな隙間δ２であっても、その横方向中央部が固定具１１とスライダー１３によって冷蔵庫３に支持されることとなり、その下方への撓み変形が防がれ、これに必要十分な剛性が確保され、該カウンター１を作業台等として使用することができる。特に、本実施の形態では、カウンター１の撓み変形量が最も大きくなるカウンター１の長さ方向（横方向）中央部を撓み防止機構１０によって支持するようにしたため、カウンター１の下方への撓み変形を一層効果的に防ぐことができ、該カウンター１に一層高い剛性を確保することができる。
【００３１】
又、撓み防止機構１０を構成する固定具１１とスライダー１３及びシャフト１４をカウンター１の奥行き方向に沿って設置したため、シャフト１４の手前側端面に形成された六角穴１４に六角レンチ等の工具１５を嵌め込んでシャフト１４を手前側から作業性良く容易に回転させることができる。
【００３２】
ところで、冷蔵庫３のメンテナンス時には、シャフト１４を逆方向に回して一対のスライダー１３をシャフト１４に沿って互いに近づく方向に移動させると、これらのスライダー１３は前述のように左右一対の固定具１１にテーパー嵌合しているため、これらが隙間δ１（δ２）内で下動して冷蔵庫３の上面への密着が解除される。すると、冷蔵庫３を手前に容易に引き出すことができ、冷蔵庫３のメンテナンスが終了すると、前記と同様に冷蔵庫３をカウンター１の下方の空間内に収納し、カウンター１を撓み防止機構１０によって冷蔵庫３に支持させてその撓みを防ぐことができる。
【００３３】
尚、本実施の形態では、カウンターの下方に形成される空間に冷蔵庫を収納する形態について説明したが、空間には他の任意の家電機器を収納することができる。
【図面の簡単な説明】
【００３４】
【図１】本発明に係る撓み防止機構が設置されたカウンターと冷蔵庫の斜視図である。
【図２】冷蔵庫の引き出しを引き出した状態を示すカウンターと冷蔵庫の斜視図である。
【図３】本発明に係る撓み防止機構の設置状況を示すためのカウンターと冷蔵庫の部分断面斜視図である。
【図４】本発明に係る撓み防止機構を斜め上方から見た分解斜視図である。
【図５】本発明に係る撓み防止機構を斜め下方から見た斜視図である。
【図６】本発明に係る撓み防止機構のスライダーの高さ調整作業を示す部分破断斜視図である。
【図７】本発明に係る撓み防止機構のスライダーの高さ調整作業を示す部分破断斜視図である。
【図８】本発明に係る撓み防止機構の設置状況を示す側断面図である。
【図９】本発明に係る撓み防止機構の設置状況を示す部分正断面図である。
【符号の説明】
【００３５】
１          カウンター
２          支持板
３          冷蔵庫（家電機器）
４〜７      冷蔵庫の引き出し
１０        撓み防止機構
１１        固定具
１１Ａ      水平部
１１Ｂ      垂直部
１１ａ      円孔
１１ｂ      テーパー部
１１ｃ      係合凸部
１２        ビス
１３        スライダー
１３ａ      ネジ孔
１３ｂ      テーパー面
１３ｃ      係合凹部
１４        シャフト
１４ａ      ネジ孔
１４ｂ      六角穴
１５        工具
δ１，δ２  隙間（クリアランス）
【図１】
2007260212.tif 000003
【図２】
2007260212.tif 000004
【図３】
2007260212.tif 000005
【図４】
2007260212.tif 000006
【図５】
2007260212.tif 000007
【図６】
2007260212.tif 000008
【図７】
2007260212.tif 000009
【図８】
2007260212.tif 000010
【図９】
2007260212.tif 000011